(57)【要約】【課題】簡易に、複数の印刷装置の設定を変更して、各印刷装置の設定を同じとすることができるようにする。【解決手段】専用端末１は、表示パネル１１と、プリンター３０と通信する通信部と、プリンター３０から通信により設定ファイル３３ａを取得する設定情報取得部２０ａと、取得した設定ファイル３３ａに基づいて、印刷に関する設定を表示パネル１１に表示する設定情報表示部２０ｂと、１のプリンター３０から設定ファイル３３ａを取得した後、他のプリンター３０と通信し、取得した当該１のプリンター３０の設定ファイル３３ａに基づいて、当該他のプリンター３０の印刷に関する設定を、当該１のプリンター３０の印刷に関する設定と同じにする設定調整部２０ｅと、を備えている。【選択図】図２
2014194709.tif 000002
【特許請求の範囲】
【請求項１】
表示パネルと、
印刷装置と通信する通信部と、
前記印刷装置から通信により印刷に関する設定を示す設定情報を取得する設定情報取得部と、
取得した前記設定情報に基づいて、印刷に関する設定を前記表示パネルに表示する設定情報表示部と、
１の前記印刷装置から前記設定情報を取得した後、他の前記印刷装置と通信し、取得した当該１の前記印刷装置の前記設定情報に基づいて、当該他の前記印刷装置の印刷に関する設定を、変更する設定調整部と、
を備えることを特徴とする情報処理装置。
【請求項２】
前記設定調整部は、
当該他の前記印刷装置の印刷に関する設定を、取得した当該１の前記印刷装置の印刷に関する設定と同じにすることを特徴とする請求項１に記載の情報処理装置。
【請求項３】
前記設定情報表示部により前記表示パネルに表示された印刷に関する設定について、設定の変更の指示を受け付ける設定受付部と、
設定の変更の指示に基づいて、前記印刷装置と通信して、前記印刷装置における印刷に関する設定を変更する設定変更部と、
をさらに備えることを特徴とする請求項１又は２に記載の情報処理装置。
【請求項４】
前記印刷装置との通信の確立をトリガーとして、前記設定情報取得部による前記設定情報の取得を開始することを特徴とする請求項１ないし３のいずれかに記載の情報処理装置。
【請求項５】
携帯可能に構成されていることを特徴とする請求項１ないし４のいずれかに記載の情報処理装置。
【請求項６】
請求項１ないし５のいずれかに記載の情報処理装置と、印刷装置とを備える情報処理システムであって、
前記印刷装置は、
指示に応じて、前記印刷装置に関する情報を記録媒体に印刷するセルフテスト処理を実行するセルフテスト実行部と、
前記情報処理装置と通信が確立している状態で、セルフテスト処理の実行の指示があった場合、前記印刷装置に関する情報を印刷することなく、当該情報を示す装置情報を前記情報処理装置に送信する装置情報送信部と、を備え、
前記情報処理装置は、
受信した前記装置情報に基づいて、前記印刷装置に関する情報を表示パネルに表示する装置情報表示部を備える
ことを特徴とする情報処理システム。
【請求項７】
表示パネルと、印刷装置と通信する通信部と、を備える情報処理装置の制御方法であって、
１の前記印刷装置から通信により印刷に関する設定を示す設定情報を取得し、
当該１の前記印刷装置から前記設定情報を取得した後、他の前記印刷装置と通信し、取得した当該１の前記印刷装置の前記設定情報に基づいて、当該他の前記印刷装置の印刷に関する設定を、変更することを特徴とする情報処理装置の制御方法。
【請求項８】
表示パネルと、印刷装置と通信する通信部と、を備える情報処理装置を制御する制御部により実行されるプログラムであって、
前記制御部を、
前記印刷装置から通信により印刷に関する設定を示す設定情報を取得する設定情報取得部と、
取得した前記設定情報に基づいて、印刷に関する設定を前記表示パネルに表示する設定情報表示部と、
１の前記印刷装置から前記設定情報を取得した後、他の前記印刷装置と通信し、取得した当該１の前記印刷装置の前記設定情報に基づいて、当該他の前記印刷装置の印刷に関する設定を、変更する設定調整部と、として機能させることを特徴とするプログラム。
【発明の詳細な説明】
【技術分野】
【０００１】
本発明は、印刷装置と通信可能な情報処理装置、当該情報処理装置、及び、当該印刷装置を備える情報処理システム、当該情報処理装置の制御方法、及び、当該情報処理装置を制御するためのプログラムに関する。
【背景技術】
【０００２】
従来、印刷装置（プリンター）に接続され、印刷装置の各種機能の設定を設定可能な情報処理装置（印刷制御装置）が知られている（例えば、特許文献１参照）。
【先行技術文献】
【特許文献】
【０００３】
【特許文献１】特開２００８−２０３９２６号公報
【発明の概要】
【発明が解決しようとする課題】
【０００４】
ここで、複数の印刷装置の設定を変更し、各印刷装置の設定を同じにすることを考える。例えば、ショッピングセンターや、スーパーマーケット等の店舗に適用されたＰＯＳシステムでは、複数の印刷装置の設定を統一的に、一斉に変更する場合がある。
このような場合に、専門的な知識を有していない人間であっても、簡易に複数の印刷装置の設定を変更して、各印刷装置の設定の少なくとも一部を同じとすることができるようにしたいとするニーズがある。
本発明は、上述した事情に鑑みてなされたものであり、簡易に、複数の印刷装置の設定を変更して、各印刷装置の設定の少なくとも一部を同じとすることができるようにすることを目的とする。
【課題を解決するための手段】
【０００５】
上記目的を達成するために、本発明は、情報処理装置であって、表示パネルと、印刷装置と通信する通信部と、前記印刷装置から通信により印刷に関する設定を示す設定情報を取得する設定情報取得部と、取得した前記設定情報に基づいて、印刷に関する設定を前記表示パネルに表示する設定情報表示部と、１の前記印刷装置から前記設定情報を取得した後、他の前記印刷装置と通信し、取得した当該１の前記印刷装置の前記設定情報に基づいて、当該他の前記印刷装置の印刷に関する設定を、変更する設定調整部と、を備えることを特徴とする。
この構成によれば、ユーザーは、１の印刷装置と情報処理装置とを接続し、当該１の印刷装置から通信によって設定情報を情報処理装置に吸い上げた後、他の印刷装置と情報処理装置とを接続する、という簡易な手段によって、１の印刷装置の設定に基づいて、他の印刷装置の設定を変更することができ、これにより、簡易に、複数の印刷装置の設定を変更して、各印刷装置の設定の少なくとも一部を同じとすることができる。
【０００６】
また、本発明は、前記設定調整部は、当該他の前記印刷装置の印刷に関する設定を、取得した当該１の前記印刷装置の印刷に関する設定と同じにすることを特徴とする。
この構成によれば、ユーザーは、１の印刷装置と情報処理装置とを接続し、当該１の印刷装置から通信によって設定情報を情報処理装置に吸い上げた後、他の印刷装置と情報処理装置とを接続する、という簡易な手段によって、１の印刷装置の設定と、他の印刷装置の設定とを同じとすることができ、これにより、簡易に、複数の印刷装置の設定を変更して、各印刷装置の設定を同じとすることができる。
【０００７】
また、本発明は、前記設定情報表示部により前記表示パネルに表示された印刷に関する設定について、設定の変更の指示を受け付ける設定受付部と、設定の変更の指示に基づいて、前記印刷装置と通信して、前記印刷装置における印刷に関する設定を変更する設定変更部と、をさらに備えることを特徴とする。
この構成によれば、ユーザーは、情報処理装置を利用して、必要に応じて印刷装置の設定を変更することができる。
【０００８】
また、本発明は、前記印刷装置との通信の確立をトリガーとして、前記設定情報取得部による前記設定情報の取得を開始することを特徴とする。
ここで、設定情報取得部による設定情報の取得は、設定情報表示部による表示パネルへの表示、及び、設定調整部による設定の調整の前提となる処理であるが、上記構成によれば、ユーザーが意識的に特別な作業を行なうことなく、情報処理装置に設定情報を取得させることが可能となる。
【０００９】
また、本発明は、携帯可能に構成されていることを特徴とする。
この構成によれば、より簡易、かつ、スムーズに、ユーザーは、各印刷装置の設定を同じとすることができる。
【００１０】
また、上記目的を達成するために、本発明は、情報処理装置と、印刷装置とを備える情報処理システムであって、前記印刷装置は、指示に応じて、前記印刷装置に関する情報を記録媒体に印刷するセルフテスト処理を実行するセルフテスト実行部と、前記情報処理装置と通信が確立している状態で、セルフテスト処理の実行の指示があった場合、前記印刷装置に関する情報を印刷することなく、当該情報を示す装置情報を前記情報処理装置に送信する装置情報送信部と、を備え、前記情報処理装置は、受信した前記装置情報に基づいて、前記印刷装置に関する情報を表示パネルに表示する装置情報表示部を備えることを特徴とする。
この構成によれば、ユーザーは、印刷装置にセルフテスト処理を実行させる場合において、印刷装置に記録媒体への印刷を行なわせることなく、必要な情報を取得することができ、記録媒体の無駄な消費を抑制できる。
【００１１】
また、上記目的を達成するために、本発明は、表示パネルと、印刷装置と通信する通信部と、を備える情報処理装置の制御方法であって、１の前記印刷装置から通信により印刷に関する設定を示す設定情報を取得し、当該１の前記印刷装置から前記設定情報を取得した後、他の前記印刷装置と通信し、取得した当該１の前記印刷装置の前記設定情報に基づいて、当該他の前記印刷装置の印刷に関する設定を、変更することを特徴とする。
この制御方法によれば、ユーザーは、１の印刷装置と情報処理装置とを接続し、当該１の印刷装置から通信によって設定情報を情報処理装置に吸い上げた後、他の印刷装置と情報処理装置とを接続する、という簡易な手段によって、１の印刷装置の設定と、他の印刷装置の設定とを同じとすることができ、これにより、簡易に、複数の印刷装置の設定を変更して、各印刷装置の設定の少なくとも一部を同じとすることができる。
【００１２】
また、上記目的を達成するために、本発明は、表示パネルと、印刷装置と通信する通信部と、を備える情報処理装置を制御する制御部により実行されるプログラムであって、前記制御部を、前記印刷装置から通信により印刷に関する設定を示す設定情報を取得する設定情報取得部と、取得した前記設定情報に基づいて、印刷に関する設定を前記表示パネルに表示する設定情報表示部と、１の前記印刷装置から前記設定情報を取得した後、他の前記印刷装置と通信し、取得した当該１の前記印刷装置の前記設定情報に基づいて、当該他の前記印刷装置の印刷に関する設定を、変更する設定調整部と、として機能させることを特徴とする。
このプログラムが実行されることにより、ユーザーは、１の印刷装置と情報処理装置とを接続し、当該１の印刷装置から通信によって設定情報を情報処理装置に吸い上げた後、他の印刷装置と情報処理装置とを接続する、という簡易な手段によって、１の印刷装置の設定と、他の印刷装置の設定とを同じとすることができ、これにより、簡易に、複数の印刷装置の設定を変更して、各印刷装置の設定の少なくとも一部を同じとすることができる。
【発明の効果】
【００１３】
本発明によれば、簡易に、複数の印刷装置の設定を変更して、各印刷装置の設定の少なくとも一部を同じとすることができるようになる。
【図面の簡単な説明】
【００１４】
【図１】本実施形態に係る専用端末を示す図である。
【図２】専用端末、及び、プリンターの機能ブロック図である。
【図３】端末装置の動作を示すフローチャートである。
【図４】端末装置の動作を示すフローチャートである。
【図５】端末装置、及び、プリンターの動作を示すフローチャートである。
【発明を実施するための形態】
【００１５】
以下、図面を参照して本発明の実施形態について説明する。
図１は、本実施形態に係る専用端末１（情報処理装置）を示す図である。
専用端末１は、片手で把持できる程度の大きさの携帯端末であり、板状の筐体１０の前面の大きな領域に表示パネル１１が設けられ、この表示パネル１１の下方に、操作スイッチ１２が設けられている。天面１３には、ＵＳＢの規格に準拠した接続端子１４が設けられており、専用端末１は、ＵＳＢケーブル１５を介して、後述するプリンター３０（印刷装置）と、ＵＳＢの規格に準拠した有線通信可能である。
【００１６】
図２は、専用端末１、及び、プリンター３０の機能的構成を示すブロック図である。専用端末１と、プリンター３０とによって情報処理システム５が構成される。
図２に示すように、専用端末１は、制御部２０と、入力部２１と、表示部２２と、記憶部２３と、インターフェース部２４（Ｉ／Ｆ）と、を備えている。
制御部２０は、ＣＰＵや、ＲＯＭ、ＲＡＭ、その他の周辺回路等を備え、専用端末１の各部を中枢的に制御する。制御部２０が備える各種機能ブロックについては後述する。入力部２１は、操作スイッチ１２に接続され、操作スイッチ１２に対する操作を検出し、制御部２０に出力する。表示部２２は、表示パネル１１に接続され、制御部２０の制御の下、表示パネル１１に各種画像を表示する。記憶部２３は、ＥＥＰＲＯＭ等の不揮発性メモリーを備え、各種データを書き換え可能に、不揮発的に記憶する。インターフェース部２４は、制御部２０の制御の下、プリンター３０と、ＵＳＢの規格に準拠して通信する。制御部２０と、インターフェース部２４とが協働して、「通信部」として機能する。
【００１７】
また、図２に示すように、プリンター３０は、プリンター制御部３１と、印刷部３２と、プリンター記憶部３３と、インターフェース部３４（Ｉ／Ｆ）と、を備えている。
プリンター制御部３１は、ＣＰＵや、ＲＯＭ、ＲＡＭ、その他の周辺回路等を備え、プリンター３０の各部を中枢的に制御する。プリンター制御部３１が備える機能ブロックについては後述する。印刷部３２は、印刷ヘッドや、記録媒体を搬送する搬送機構等を備え、プリンター制御部３１の制御の下、記録媒体に画像を印刷する。プリンター記憶部３３は、ＥＥＰＲＯＭ等の不揮発性メモリーを備え、各種データを書き換え可能に、不揮発的に記憶する。
プリンター記憶部３３には、設定ファイル３３ａが記憶されている。設定ファイル３３ａとは、印刷に関する設定が記述されたファイルである。印刷に関する設定とは、例えば、プリンター３０にセットされる記録媒体の用紙幅や、印字濃度、フォント、印字速度等である。プリンター制御部３１は、記録媒体への画像の印刷に際し、設定ファイル３３ａを参照した上で印刷部３２を制御し、印刷に関する設定に準じて印刷を行なう。
インターフェース部３４（Ｉ／Ｆ）は、プリンター制御部３１の制御の下、専用端末１と、ＵＳＢの規格に準拠して通信する。
プリンター３０の通常使用時の印刷実行時においては、プリンター３０は、プリンタードライバーがインストールされたホストコンピューターに接続される。ホストコンピューターは、プリンタードライバーの機能により、プリンター３０に制御コマンドを送信して、プリンター３０に印刷を含む各種処理を実行させる。
【００１８】
ところで、複数のプリンター３０のそれぞれについて、印刷に関する設定を変更し、各プリンター３０の設定を同じにする必要が生じる場合がある。例えば、ショッピングセンターや、スーパーマーケット等の店舗に適用されたＰＯＳシステムでは、複数のレシートプリンターの設定を統一的に一斉に変更し、それぞれのレシートプリンターが発行するレシートの印刷形式の統一性を維持しつつ、その形式を一斉に変更する場合がある。
このような場合、プリンター３０のそれぞれについて、各プリンター３０に接続されたホストコンピューターの機能により設定を変更することが考えられる。すなわち、プリンタードライバーの機能により提供される専用のユーザーインターフェースに、ユーザーが設定の変更を入力し、１つ１つプリンター３０の設定の変更を行なうことが考えられる。しかしながら、この場合、作業が煩雑であり、また、人為的なミスが発生する可能性がある。さらに、ホストコンピューターが用意できていない段階、例えば、ＰＯＳシステムの導入段階であって、ホストコンピューターが未だ搬入されていない段階の場合は、設定の変更をできない、という問題がある。
また、プリンター３０（又は、ホストコンピューター）のそれぞれが接続されたサーバー装置が存在する場合は、サーバー装置を利用して、プリンター３０の設定を変更することが考えられる。しかしながら、この場合、ユーザーにネットワークや、サーバー装置に関する知識が必要となってしまう。また、セキュリティーの関係により、サーバー装置の利用が制限されている場合もある。また、システムを構築するために相当の労力を要する可能性がある。
以上を踏まえ、専用端末１の制御部２０は、以下の機能ブロックを有しており、ユーザーは、専用端末１の機能ブロックによって実現される機能を利用して、簡易に、複数のプリンター３０の設定を変更して、各プリンター３０の設定を同じとすることができる。
なお、以下の説明において、各機能ブロックの機能は、制御部２０が備えるＣＰＵがプログラムを読み出して実行する等、ハードウェアとソフトウェアとの協働により実現される。
【００１９】
まず、設定情報取得部２０ａ、設定情報表示部２０ｂ、設定受付部２０ｃ、設定変更部２０ｄについて説明する。
図３は、設定情報取得部２０ａ、設定情報表示部２０ｂ、設定受付部２０ｃ、及び、設定変更部２０ｄに関連する専用端末１の動作を示すフローチャートである。
専用端末１を使用する場合、ユーザーは、ＵＳＢケーブル１５を介して、専用端末１と、プリンター３０とを接続し、これら装置の通信を確立する。
図３を参照し、設定情報取得部２０ａは、プリンター３０との間でＵＳＢの規格に準拠した通信が確立したか否かを監視する（ステップＳＡ１）。
通信が確立した場合（ステップＳＡ１：ＹＥＳ）、設定情報取得部２０ａは、プリンター制御部３１と通信して、設定ファイル３３ａ（印刷に関する設定を示す設定情報）の送信を要求し、設定ファイル３３ａを取得する（ステップＳＡ２）。設定情報取得部２０ａが設定ファイル３３ａを取得するための通信に関するプロトコルは、事前に定められている。なお、設定ファイル３３ａそのものを取得するのではなく、取得する情報は、設定ファイル３３ａに記述された情報のうち、必要な情報と同一性を有する情報であればよい。
このように、本実施形態では、プリンター３０との通信の確立をトリガーとして、設定情報取得部２０ａによる設定ファイル３３ａの取得が開始される。ここで、設定情報取得部２０ａによる設定ファイル３３ａの取得は、後に説明する設定情報表示部２０ｂによる表示パネル１１への表示、及び、設定調整部２０ｅによる設定の調整の前提となる処理であるが、上記構成によれば、ユーザーが意識的に特別な作業を行なうことなく、専用端末１に設定ファイル３３ａを取得させることが可能となる。
【００２０】
次いで、設定情報表示部２０ｂは、取得した設定ファイル３３ａに基づいて、印刷に関する各種設定を、表示パネル１１に表示する（ステップＳＡ３）。ユーザーは、表示パネル１１を視認することにより、プリンター３０の設定を迅速、かつ、確実に把握できる。
次いで、設定受付部２０ｃは、ユーザーにより、設定を変更する旨の操作が操作スイッチ１２を介して行なわれたか否かを監視する（ステップＳＡ４）。操作スイッチ１２により、ユーザーが設定の変更を指示できる構成となっている。例えば、ユーザーは、印字濃度を＜薄い＞から＜濃い＞に変更したり、印字速度を＜速い＞から＜遅い＞に変更することを指示す可能である。
当該操作があった場合（ステップＳＡ４：ＹＥＳ）、設定受付部２０ｃは、変更すべき設定の内容を示す情報を設定変更部２０ｄに出力する（ステップＳＡ５）。つまり、設定受付部２０ｃは、設定情報表示部２０ｂにより表示パネル１１に表示された印刷に関する設定について、設定の変更の指示を受け付ける。
設定変更部２０ｄは、設定受付部２０ｃから入力された情報に基づいて、プリンター制御部３１と通信して、設定ファイル３３ａの内容を変更することにより、プリンター３０における印刷に関する設定を変更する（ステップＳＡ６）。設定変更部２０ｄがプリンター制御部３１と通信して、設定ファイル３３ａの内容を変更するための通信に関するプロトコルは、事前に定められている。設定ファイル３３ａの内容の変更に伴って、設定情報表示部２０ｂは、表示パネル１１に表示している設定を適切に変更する。
以上のように、ユーザーは、情報処理装置を利用して、非常に簡易な方法により、設定を変更することができる。
【００２１】
次に、設定調整部２０ｅについて説明する。
図４は、設定調整部２０ｅに関連する専用端末１の動作を示すフローチャートである。
図４（Ａ）のフローチャートの開始時点では、専用端末１とプリンター３０との通信が確立しているものとする。
図４（Ａ）を参照し、プリンター３０との通信が確立している間、設定調整部２０ｅは、設定情報取得部２０ａにより取得された設定ファイル３３ａの記憶の指示があったか否かを判別する（ステップＳＢ１）。操作スイッチ１２により、上記記憶の指示できる構成となっている。
上記記憶の指示があった場合（ステップＳＢ１：ＹＥＳ）、設定調整部２０ｅは、設定ファイル３３ａを、記憶部２３の所定の記憶領域に記憶する（ステップＳＢ２）。ここで記憶される設定ファイル３３ａは、最新のものとされる。つまり、設定変更部２０ｄによる設定ファイル３３ａの内容の変更があった場合は、変更後の設定ファイル３３ａが設定調整部２０ｅによって記憶される。
その後、ユーザーは、専用端末１と、プリンター３０との接続を解除し、専用端末１と別のプリンター３０と、を新たに接続する。以下、説明の便宜を考慮して、接続が解除されたプリンター３０（対応する設定ファイル３３ａが記憶されたプリンター３０）を、「旧プリンター」と言い、旧プリンターの接続の解除後に新たに接続されたプリンター３０を、「新プリンター」という。
【００２２】
図４（Ｂ）は、新プリンターに新たに接続された後の、専用端末１の動作を示すフローチャートである。
図４（Ｂ）に示すように、設定調整部２０ｅは、設定の調整の指示があったか否かを監視する（ステップＳＣ１）。設定の調整の指示とは、具体的には、旧プリンターの設定ファイル３３ａの内容（設定）と、新プリンターの設定ファイル３３ａの内容（設定）を同じにすることの指示である。
上記指示があった場合（ステップＳＣ１）、設定調整部２０ｅは、ステップＳＢ２（図４（Ａ））で記憶した旧プリンターの設定ファイル３３ａに基づいて、プリンター制御部３１と通信して、新プリンターの設定ファイル３３ａの内容を書き換えて、記憶した旧プリンターの設定ファイル３３ａの内容と、新プリンターに記憶されている設定ファイル３３ａの内容とを一致させる（ステップＳＣ２）。設定調整部２０ｅがプリンター制御部３１と通信して、設定ファイル３３ａの内容を書き換えるための通信に関するプロトコルは、事前に定められている。
以上のような構成のため、ユーザーは、簡易に、複数のプリンター３０の設定を変更して、各プリンター３０の設定を同じとすることができる。
例えば、ユーザーが、５台のプリンター３０について、各プリンター３０の設定を変更して、各プリンター３０の設定を同じとするものとする。この場合、ユーザーは、まず、１台のプリンター３０に専用端末１を接続し、設定受付部２０ｃ、及び、設定変更部２０ｄの機能を利用して、当該プリンター３０の設定を変更する。さらに、ユーザーは、設定調整部２０ｅの機能を利用して、専用端末１に、設定を変更した後の設定ファイル３３ａを記憶させる。その後、ユーザーは、残りのプリンター３０のそれぞれについて、プリンター３０と専用端末１とを接続し、設定調整部２０ｅの機能を利用して、プリンター３０に記憶されている設定ファイル３３ａの内容を書き換えさせ、専用端末１に記憶している設定ファイル３３ａの内容と同一となるようにする。以上により、全てのプリンター３０の設定を同じとすることが可能である。このように、ユーザーは、各プリンター３０の設定を同じとする場合に、１台のプリンター３０に対してのみ設定の変更を行なえばよく、非常に作業が簡易である。また、１台のプリンター３０に対して設定を行なった後、残りのプリンター３０に対しては、設定調整部２０ｅの機能により、システマティックに設定ファイル３３ａの内容の書き換えが行なわれるため、人為的なミスにより各プリンター３０の設定について相違が生じることがない。
【００２３】
次に、専用端末１の制御部２０が備える装置情報表示部２０ｆについて、プリンター３０のプリンター制御部３１が備えるセルフテスト実行部３１ａ、及び、装置情報送信部３１ｂと併せて説明する。
まず、セルフテスト実行部３１ａについて説明する。セルフテスト実行部３１ａは、セルフテスト処理を実行する機能ブロックである。セルフテスト処理とは、ユーザーによる専用端末１に対する直接的な指示に応じて、プリンター３０の単独の機能により、通信インターフェースに関する情報や、内蔵するバッファーの仕様、通信プロトコルに関する情報、搭載しているフォントデータの情報、設定されている印字濃度の情報、プリンター３０の基板に設けられた各種ディップスイッチの状態等、予め定められた情報（印刷装置に関する情報）を記録媒体に印刷する処理である。以下、セルフテスト処理によって記録媒体に記録されるべき情報を「プリンター情報」という。ユーザーは、プリンター３０にセルフテスト処理を行なわせることによって、ホストコンピューターに対して指示することなく、プリンター情報を取得することができる。
【００２４】
図５は、プリンター３０、及び、専用端末１の動作を示すフローチャートであり、（Ａ）は、プリンター３０の動作を、（Ｂ）は、専用端末１の動作を、それぞれ示している。
プリンター３０のセルフテスト実行部３１ａは、セルフテスト処理の実行の指示があったか否かを監視する（ステップＳＤ１）。上記指示があった場合（ステップＳＤ１：ＹＥＳ）、セルフテスト実行部３１ａは、専用端末１との間で通信が確立しているか否かを判別する（ステップＳＤ２）。通信が確立していない場合（ステップＳＤ２：ＮＯ）、セルフテスト実行部３１ａは、通常の方法でセルフテスト処理を実行する（ステップＳＤ３）。ステップＳＤ３の処理についての詳細な説明は省略する。
一方、通信が確立している場合（ステップＳＤ２：ＹＥＳ）、セルフテスト実行部３１ａは、セルフテスト処理、すなわち、プリンター情報の記録媒体への印刷を実行しない（ステップＳＤ４）。次いで、装置情報送信部３１ｂは、プリンター情報を含んで構成された所定のフォーマットのデータを生成し（ステップＳＤ５）、専用端末１に送信する（ステップＳＤ６）。
上記データを受信すると（ステップＳＥ１）、専用端末１の装置情報表示部２０ｆは、受信したデータに基づいて、プリンター情報を、表示パネル１１に表示する（ステップＳＥ２）。
このような構成のため、ユーザーは、プリンター３０に記録媒体への印刷を行なわせることなく、プリンター情報を取得することができ、記録媒体の無駄な消費を抑制できる。
【００２５】
以上説明したように、本実施形態に係る専用端末１（情報処理装置）は、表示パネル１１と、プリンター３０と通信する通信部と、プリンター３０から通信により設定ファイル３３ａ（印刷に関する設定を示す設定情報）を取得する設定情報取得部２０ａと、取得した設定ファイル３３ａに基づいて、印刷に関する設定を表示パネル１１に表示する設定情報表示部２０ｂと、１のプリンター３０から設定ファイル３３ａを取得した後、他のプリンター３０と通信し、取得した当該１のプリンター３０の設定ファイル３３ａに基づいて、当該他のプリンター３０の印刷に関する設定を、当該１のプリンター３０の印刷に関する設定と同じにする設定調整部２０ｅと、を備えている。
この構成によれば、ユーザーは、１のプリンター３０と専用端末１とを接続し、当該１のプリンター３０から通信によって設定ファイル３３ａを専用端末１に吸い上げた後、他のプリンター３０と専用端末１とを接続する、という簡易な手段によって、１のプリンター３０の設定と、他のプリンター３０の設定とを同じとすることができ、これにより、上述したように、簡易に、複数のプリンター３０の設定を変更して、各プリンター３０の設定を同じとすることができる。
【００２６】
また、本実施形態に係る専用端末１は、設定情報表示部２０ｂにより表示パネル１１に表示された印刷に関する設定について、設定の変更の指示を受け付ける設定受付部２０ｃと、設定の変更の指示に基づいて、プリンター３０と通信して、プリンター３０における印刷に関する設定を変更する設定変更部２０ｄと、をさらに備えている。
この構成によれば、ユーザーは、専用端末１を利用して、必要に応じてプリンター３０の設定を変更することができる。
【００２７】
また、本実施形態に係る専用端末１は、プリンター３０との通信の確立をトリガーとして、設定情報取得部２０ａによる設定ファイル３３ａの取得を開始する。
この構成によれば、ユーザーが意識的に特別な作業を行なうことなく、専用端末１に設定ファイル３３ａを取得させることが可能となる。
【００２８】
また、本実施形態に係る専用端末１は、携帯可能に構成されている。
この構成によれば、専用端末１を容易に持ち運ぶことが可能であり、ユーザーは、より簡易、かつ、よりスムーズに、各プリンター３０の設定を同じとすることができる。
【００２９】
また、本実施形態では、プリンター３０は、指示に応じて、プリンター３０に関する情報を記録媒体に記録するセルフテスト処理を実行するセルフテスト実行部３１ａと、専用端末１と通信が確立している状態で、セルフテスト処理の実行の指示があった場合、プリンター３０に関する情報を記録することなく、当該情報を示すプリンター情報を含むデータを専用端末１に送信する装置情報送信部３１ｂと、を備えている。また、専用端末１は、受信したデータに含まれるプリンター情報に基づいて、プリンター情報を表示パネル１１に表示する装置情報表示部２０ｆを備えている。
この構成によれば、ユーザーは、プリンター３０にセルフテスト処理を実行させる場合において、プリンター３０に記録媒体への印刷を行なわせることなく、必要な情報を取得することができ、記録媒体の無駄な消費を抑制できる。
【００３０】
なお、上述した実施の形態は、あくまでも本発明の一態様を示すものであり、本発明の範囲内で任意に変形および応用が可能である。
例えば、図１を用いて、専用端末１の外観を説明したが、専用端末１の構成は、例示したものに限られない。例えば、タッチパネルを備え、ユーザーがタッチパネルを介して各種入力を行える構成であってもよい。また、専用端末１は、他のプリンター３０の印刷に関する設定を変更する際、設定項目を選択して変更する構成であってもよい。つまり、ユーザーによって選択された設定項目のみを、専用端末１の機能によって、１の印刷装置と、他の印刷装置とで同一とする構成であってもよい。また、専用端末１は、複数の設定情報（設定ファイル３３ａ）を記憶し、他のプリンター３０の印刷に関する設定を変更する際、複数の設定情報の中のうちの１の設定情報に基づいて、変更する構成であってもよい。どの設定情報を利用するかは、例えば、ユーザーによって選択可能な構成とすればよい。
また例えば、図２に示す各機能ブロックはハードウェアとソフトウェアの協働により任意に実現可能であり、特定のハードウェア構成を示唆するものではない。また、専用端末１や、プリンター３０の各機能ブロックの機能を、これら装置に外部接続される別の装置に持たせるようにしてもよい。また、専用端末１や、プリンター３０は、外部接続される記憶媒体に記憶させたプログラムを実行することにより、各種動作を実行してもよい。
【符号の説明】
【００３１】
１…専用端末（情報処理装置）、１１…表示パネル、２０…制御部、２０ａ…設定情報取得部、２０ｂ…設定情報表示部、２０ｃ…設定受付部、２０ｄ…設定変更部、２０ｅ…設定調整部、２０ｆ…装置情報表示部、３０…プリンター（印刷装置）、３１…プリンター制御部、３１ａ…セルフテスト実行部、３１ｂ…装置情報送信部、３３ａ…設定ファイル（印刷に関する設定情報）。
【図１】
2014194709.tif 000003
【図２】
2014194709.tif 000004
【図３】
2014194709.tif 000005
【図４】
2014194709.tif 000006
【図５】
2014194709.tif 000007